(57)【特許請求の範囲】
【請求項１】
電子ディスプレイであって、
第１のリフレッシュレート、又は前記第１のリフレッシュレートよりも低い第２のリフレッシュレートで画像フレームを表示するように構成されたディスプレイパネルと、
前記ディスプレイパネルに電圧を印加することによって前記ディスプレイパネルに前記画像フレームを書き込むように構成されたディスプレイドライバと、
タイミングコントローラであって、
第１の画像フレームと、前記第１の画像フレームを表示するのに使用する第１の所望のリフレッシュレートであって、前記第２のリフレッシュレートに等しい第１の所望のリフレッシュレートと、を表す第１の画像データを、前記電子ディスプレイに通信可能に連結された画像ソースから受信し、
前記ディスプレイパネル内に蓄積した反転不均衡の極性が第１の組の電圧極性の極性に等しくない場合に、前記第１の画像フレームの前記第１の所望のリフレッシュレートと等しい前記第２のリフレッシュレートで前記第１の画像フレームが表示されるように、前記第１の組の電圧極性を前記ディスプレイパネルに印加するよう前記ディスプレイドライバに命令し、
前記ディスプレイパネル内に蓄積した反転不均衡の極性が前記第１の組の電圧極性の極性に等しい場合に、
前記第１の画像フレームが前記第１の画像フレームの前記第１の所望のリフレッシュレートより高い前記第１のリフレッシュレートで表示されるように前記第１の組の電圧極性を前記ディスプレイパネルに印加するよう前記ディスプレイドライバに命令し、
続いて、前記第１の画像フレームが前記第１の画像フレームの前記第１の所望のリフレッシュレートと等しい前記第２のリフレッシュレートで表示されるように第２の組の電圧極性を前記ディスプレイパネルに印加するよう前記ディスプレイドライバに命令する、
ように構成されたタイミングコントローラと、
を備える電子ディスプレイ。
【請求項２】
前記タイミングコントローラが、前記第１の組の電圧極性が印加された時に値を増大し、前記第２の組の電圧極性が印加された時に値を減少することにより、前記ディスプレイパネル内に蓄積した前記反転不均衡の前記極性を判定するのを促すように構成されたカウンタを含む、請求項１に記載の電子ディスプレイ。
【請求項３】
前記カウンタが、前記ディスプレイパネルが前記第１の組の電圧極性の方へと極性化されると正になり、前記ディスプレイパネルが前記第２の組の電圧極性の方へと極性化されると負になるように構成されたカウンタ値を含む、請求項２に記載の電子ディスプレイ。
【請求項４】
前記タイミングコントローラが、
第２の画像フレームと、前記第２の画像フレームを表示するのに使用する第２の所望のリフレッシュレートであって、前記第２のリフレッシュレートに等しい第２の所望のリフレッシュレートと、を表す第２の画像データを前記画像ソースから受信し、
前記ディスプレイパネルに蓄積した前記反転不均衡の極性が前記第２の組の電圧極性と反対である場合に、前記第２の画像フレームの前記第２の所望のリフレッシュレートに等しい前記第２のリフレッシュレートで前記第２の画像フレームが表示されるように、前記ディスプレイパネルに前記第２の組の電圧極性のセットを印加するよう前記ディスプレイドライバに命令し、
前記ディスプレイパネルに蓄積した反転不均衡の極性が前記第２の組の電圧極性と反対ではない場合に、
前記第２の画像フレームが前記第２の画像フレームの前記第２の所望のリフレッシュレートより高い前記第１のリフレッシュレートで表示されるように前記ディスプレイパネルに前記第２の組の電圧極性を印加するよう前記ディスプレイドライバに命令し、
続いて、前記第２の画像フレームが、前記第２の画像フレームの前記第２の所望のリフレッシュレートと等しい前記第２のリフレッシュレートで表示されるように前記第１の組の電圧極性を前記ディスプレイパネルに印加するよう前記ディスプレイドライバに命令する、
ように構成されている、請求項１に記載の電子ディスプレイ。
【請求項５】
前記ディスプレイドライバが、前記ディスプレイパネルの奇数列に正極電圧を印加し、前記ディスプレイパネルの偶数列に負極電圧を印加することによって前記第１の組の電圧極性を印加し、前記奇数列に負極性電圧を印加し、前記偶数列に正極電圧を印加することによって前記第２の組の電圧極性を印加するように構成されている、請求項１に記載の電子ディスプレイ。
【請求項６】
前記ディスプレイドライバが、前記第１の組の電圧極性を前記ディスプレイパネルに印加することと、極性が前記第１の組の電圧極性の前記極性とは反対である前記第２の組の電圧極性を前記ディスプレイパネルに印加することと、を交互に行うように構成されている、請求項１に記載の電子ディスプレイ。
【請求項７】
前記第１のリフレッシュレートが６０Ｈｚであり、前記第２のリフレッシュレートが３０Ｈｚである、請求項１に記載の電子ディスプレイ。
【請求項８】
電子ディスプレイのタイミングコントローラを使用して、前記電子ディスプレイに通信可能に連結された画像ソースから受信した画像データによって表されている画像フレームの所望のリフレッシュレートを判定することと、
前記タイミングコントローラを使用して、前記所望のリフレッシュレートが前記電子ディスプレイの第１のリフレッシュレートよりも低いかどうかを判定することと、
前記所望のリフレッシュレートが前記第１のリフレッシュレートよりも低い場合において、
第１の組の電圧極性の極性が電子ディスプレイに蓄積された反転不均衡の極性と等しくない場合には、前記タイミングコントローラを使用して、前記第１の組の電圧極性を印加することによって前記画像フレームの前記所望のリフレッシュレートで前記画像フレームを表示するように、前記電子ディスプレイに命令し、
第１の組の電圧極性の極性が電子ディスプレイに蓄積された反転不均衡の極性と等しい場合には、
前記タイミングコントローラを使用して、前記第１の組の電圧極性を印加することによって前記画像フレームを前記画像フレームの前記所望のリフレッシュレートよりも高い前記第１のリフレッシュレートで表示するように、前記電子ディスプレイに命令し、
前記タイミングコントローラを使用して、続いて第２の組の電圧極性を印加することによって前記画像フレームを前記所望のリフレッシュレートで表示するように、前記電子ディスプレイに命令することと、
を含む方法。
【請求項９】
前記タイミングコントローラを使用して、前記所望のリフレッシュレートが前記第１のリフレッシュレートよりも閾値量を超えて低いかどうかを判定することと、
前記所望のリフレッシュレートが前記第１のリフレッシュレートよりも前記閾値量を超えて低い場合に、
前記タイミングコントローラを使用して、前記第１の組の電圧極性を印加することによって前記画像フレームを、段階的に低減した中間リフレッシュレートで表示するよう前記電子ディスプレイに命令することと、
前記タイミングコントローラを使用して、前記第２の組の電圧極性を印加することによって前記画像フレームを、前記段階的に低減した中間リフレッシュレートで表示するよう前記電子ディスプレイに命令することと、を含み、
前記段階的に低減した中間リフレッシュレートが前記所望のリフレッシュレートよりも高く、前記第１のリフレッシュレートよりも低い、請求項８に記載の方法。
【請求項１０】
前記第１のリフレッシュレートが６０Ｈｚであり、前記段階的に低減した中間リフレッシュレートが４５Ｈｚであり、前記所望のリフレッシュレートが３０Ｈｚである、請求項９に記載の方法。
【請求項１１】
前記第１の組の電圧極性の前記極性が、前記電子ディスプレイ内に蓄積した前記反転不均衡の前記極性とは反対である場合に、前記タイミングコントローラを使用して、前記第１の組の電圧極性を印加することによって前記画像フレームを前記所望のリフレッシュレートで表示するよう前記電子ディスプレイに命令することを含む、請求項８に記載の方法。
【請求項１２】
前記所望のリフレッシュレートを判定することが、前記画像データに含まれる垂直ブランクライン及びアクティブラインの数を判定することを含む、請求項８に記載の方法。
【請求項１３】
前記タイミングコントローラを使用して、前記所望のリフレッシュレートが前記第１のリフレッシュレートであると判定することと、
前記第１の組の電圧極性の極性が前記電子ディスプレイ内に蓄積した反転不均衡の極性に等しくない場合に、前記タイミングコントローラを使用して、
前記画像フレームを前記第１のリフレッシュレートで、次の画像フレームを前記第１のリフレッシュレートよりも高い第２のリフレッシュレートで表示するか、
前記画像フレームを前記第１のリフレッシュレートよりも低い第３のリフレッシュレートで、前記次の画像フレームを前記第１のリフレッシュレートで表示するか、
前記画像フレームを前記第１のリフレッシュレートよりも低い第４のリフレッシュレートで、前記次の画像フレームを前記第１のリフレッシュレートよりも高い第５のリフレッシュレートで表示する
よう、前記電子ディスプレイに命令することと、
を含む、請求項８に記載の方法。
【請求項１４】
電子ディスプレイであって、
第１のリフレッシュレート、前記第１のリフレッシュレートよりも低い第２のリフレッシュレート、又は前記第２のリフレッシュレート及び前記第１のリフレッシュレートよりも低い第３のリフレッシュレートで画像フレームを表示するように構成されたディスプレイパネルと、
前記ディスプレイパネルに電圧を印加することによって前記ディスプレイパネルに前記画像フレームを書き込むように構成されたディスプレイドライバと、
タイミングコントローラであって、
第１の画像フレームと、前記第１の画像フレームを表示するのに使用する第１の所望のリフレッシュレートであって、前記第３のリフレッシュレートに等しい第１の所望のリフレッシュレートと、を表す第１の画像データを、前記電子ディスプレイに通信可能に連結された画像ソースから受信し、
直前の画像フレーム表示が前記第１のリフレッシュレートで表示されており、
前記第１のリフレッシュレートが前記第３のリフレッシュレートよりも閾値量を超えて高い場合に、
前記第１の画像フレームが前記第２のリフレッシュレートで表示されるように第１の組の電圧極性を前記ディスプレイパネルに印加し、続いて、前記第１の画像フレームが前記第３のリフレッシュレートで表示されるように第２の組の電圧極性を前記ディスプレイパネルに印加するよう前記ディスプレイドライバに命令し、
前記ディスプレイパネル内に蓄積した反転不均衡の極性が前記第２の組の電圧極性の極性に等しい場合には、前記第１の画像フレームを前記第２のリフレッシュレートで表示する前に前記第１の画像フレームが前記第１のリフレッシュレートで表示されるように前記第２の組の電圧極性を前記ディスプレイパネルに印加するよう前記ディスプレイドライバに命令する、
ように構成されたタイミングコントローラと、
を備える電子ディスプレイ。
【請求項１５】
前記タイミングコントローラが、
第２の画像フレームと、前記第２の画像フレームを表示するのに使用する第２の所望のリフレッシュレートであって、前記第３のリフレッシュレートに等しい第２の所望のリフレッシュレートと、を表す第２の画像データを前記画像ソースから受信し、
前記ディスプレイパネル内に蓄積した反転不均衡の前記極性が前記第１の組の電圧極性の反対の極性であり、
直前に表示された画像フレームが前記第１のリフレッシュレートで表示されており、
第１のリフレッシュレートが前記第３のリフレッシュレートよりも前記閾値量を超えて高くはない場合に、
前記第１の画像フレームが前記第３のリフレッシュレートで表示されるように前記第１の組の電圧極性を前記ディスプレイパネルに印加するよう前記ディスプレイドライバに命令する、
ように構成されている、請求項１４に記載の電子ディスプレイ。
【請求項１６】
前記第１のリフレッシュレートが６０Ｈｚであり、前記第２のリフレッシュレートが４５Ｈｚであり、前記第３のリフレッシュレートが３０Ｈｚである、請求項１４に記載の電子ディスプレイ。
【請求項１７】
電子ディスプレイのタイミングコントローラを使用して、前記電子ディスプレイに通信可能に連結された画像ソースから受信した第１の画像データによって表されている第１の画像フレームの第１の所望のリフレッシュレートを判定することと、
前記タイミングコントローラを使用して、直前の画像フレーム表示が第１のリフレッシュレートで表示されており、前記第１のリフレッシュレートが前記第１の所望のリフレッシュレートに等しい第３のリフレッシュレートよりも閾値量を超えて高いかどうかを判定することと、
直前の画像フレーム表示が前記第１のリフレッシュレートで表示されており、前記第１のリフレッシュレートが前記第３のリフレッシュレートよりも閾値量を超えて高いと判定された場合に、
前記タイミングコントローラを使用して、前記第１の画像フレームが前記第３のリフレッシュレートより高く前記第１のリフレッシュレートより低い第２のリフレッシュレートで表示されるように第１の組の電圧極性をディスプレイパネルに印加するよう前記電子ディスプレイに命令し、続いて、前記第１の画像フレームが前記第３のリフレッシュレートで表示されるように第２の組の電圧極性を前記ディスプレイパネルに印加するよう前記電子ディスプレイに命令することと、
前記電子ディスプレイに蓄積した反転不均衡の極性が前記第２の組の電圧極性の極性に等しい場合には、前記タイミングコントローラを使用して、前記第１の画像フレームを前記第２のリフレッシュレートで表示する前に、前記第１の画像フレームが前記第１のリフレッシュレートで表示されるように前記第２の組の電圧極性を前記ディスプレイパネルに印加するよう前記電子ディスプレイに命令することと、
を含む方法。
【請求項１８】
前記第１のリフレッシュレートが６０Ｈｚであり、前記第２のリフレッシュレートが４５Ｈｚであり、前記第３のリフレッシュレートが３０Ｈｚである、請求項１７に記載の方法。
【発明の詳細な説明】
【技術分野】
【０００１】
本開示は、概して電子ディスプレイに関し、より具体的には、電子ディスプレイにおけるフレーム反復の低減に関する。
【０００２】
この節では、後述及び／又は請求される本技法の様々な態様に関連し得る様々な技術態様を読者に紹介する。本論考は、本開示の様々な態様の、より良好な理解を容易にするための背景技術を閲覧者に提供する際に、助けとなるものと考えられる。したがって、これらの記述は、上述の観点から読まれるべきであり、先行技術の承認として読まれるべきではないことを理解するべきである。
【０００３】
一般に電子ディスプレイは、電子ディスプレイのディスプレイパネルに画像フレームを連続して書き込むことにより、ユーザに情報を視覚的に認知させることができ得る。より具体的には、画像フレームは、正極電圧及び／又は負極電圧をディスプレイパネル内の画素に印加することによって表示され得る。例えば、列反転技法においては、奇数列に正極電圧が印加され、偶数列に負極電圧が印加されて、第１の画像フレーム又は第１の組の連続画像フレームを表示し得る。その後、奇数列に負極電圧が印加され、偶数列に正極電圧が印加されて、第１の組の連続画像フレームの後に発生する第２の画像フレーム又は第２の組の連続画像フレームを表示し得る。
【０００４】
本明細書において用いられる「リフレッシュレート」とは、画像フレーム（例えば、第１及び第２の画像フレーム）がディスプレイパネルに書き込まれる頻度を表す。したがって、いくつかの実施形態においては、電子デバイスのリフレッシュレートを調節することで電子ディスプレイの電力消費を調節することができる。例えば、リフレッシュレートが高いと、電力消費もまた高くなり得る。一方で、リフレッシュレートが低いと、電力消費もまた低くなり得る。
【０００５】
実際、いくつかの実施形態において、リフレッシュレートは、連続して表示される画像フレーム間においても可変であり得る。例えば、上記の例で続けると、第１の画像フレームが６０Ｈｚのリフレッシュレートで、第２の画像フレームが３０Ｈｚのリフレッシュレートで表示され得る。そのために、負極電圧は、正極電圧の２倍の期間にわたって奇数列に印加され得る。同様に、正極電圧は、負極電圧の２倍の期間にわたって偶数列に印加され得る。ただし、リフレッシュレートが可変だと逆極性電圧がディスプレイパネルに印加される持続時間が異なり得るため、ディスプレイパネル内で反転不均衡（例えば極性化、バイアス電圧とも称される）が蓄積し、画質が低下し得る。
【発明の概要】
【０００６】
本明細書に開示される特定の実施形態の要約を以下に示す。これらの態様は、これらの特定の実施形態の概要を読者に提供するためだけに提示され、これらの態様は、この開示の範囲を限定するものではないことを理解されたい。実際に、本開示は、以下に記載されない様々な態様を包含し得る。
【０００７】
本開示は概して、特に電子ディスプレイのリフレッシュレートが可変である場合に電子ディスプレイに表示される画像の質の向上に関する。より具体的には、リフレッシュレートが可変である場合、各々の連続画像が表示される持続時間が変わり得る。そのため、画像フレームを表示するために正極電圧を印加することと負極電圧を印加することとの間で反転技法が変わると、反転不均衡が蓄積することがあり、それによって画素が極性化し、画質が低下し得る。
【０００８】
そのため、本明細書に記載の技法は、各々の画像フレームを表示するために電圧が印加される極性及び持続時間を考慮することにより、電子ディスプレイの画素内で生じる極性化を低減し得る。いくつかの実施形態においては、電子ディスプレイ内のタイミングコントローラが、画像ソースから受信した対応する画像データに含まれるラインの数に基づいて、各々の画像フレームを表示するために電圧が印加される持続時間を判定し得る。加えて、タイミングコントローラは、電子ディスプレイの画素内に蓄積した反転不均衡（例えば極性化）に少なくとも部分的に基づいて、各々のフレームを表示するための電圧の極性を判定し得る。例えば、タイミングコントローラは、第１の組の電圧極性（例えば、奇数列に印加された正極及び偶数列に印加された負極）が電子ディスプレイ画素に印加された時にカウンタ値が増大し、第２の組の電圧極性（例えば、奇数列に印加された負極及び偶数列に印加された正極）が電子ディスプレイ画素に印加された時にカウンタ値が減少し得る。そのため、タイミングコントローラは、カウンタ値をゼロへと向かわせる極性電圧を印加することにより、電子ディスプレイ内で蓄積した反転不均衡を低減し得る。
【０００９】
いくつかの実施形態においては、画像フレームを連続して表示するために各画素に印加される電圧の極性を正と負との間で交互に切り替えることにより、知覚可能な輝度スパイクの可能性が低減され得る。こうして、画素の反転不均衡を低減するか少なくとも維持する（例えば悪化させない）ために、ディスプレイパネルの蓄積した反転不均衡とは反対の１組の電圧極性を使用して、低減リフレッシュレート（例えば６０Ｈｚ未満）で表示された画像フレームが画素に書き込まれ得る。更に、いくつかの実施形態においては、低減リフレッシュレートの知覚性を低減するために、段階的に低減した中間リフレッシュレートが使用され得る。こうして、画素の反転不均衡を低減するか少なくとも維持する（例えば悪化させない）ために、偶数の画像フレームが、段階的に低減した各々の中間リフレッシュレートで表示され得る。言い換えると、本明細書に記載の技法は、反転不均衡によって生じる視覚アーチファクトの可能性を低減しつつ、電子ディスプレイにおける輝度スパイクの可能性及び／又はリフレッシュレートの低下の知覚性も低減し得る。
【図面の簡単な説明】
【００１０】
以下の「発明を実施するための形態」を読了し、かつ以下の図面を参照することにより、本開示の様々な態様をより良好に理解することができる。
【００１１】
【図１】一実施形態に係る、画像フレームを表示する目的で使用されるコンピューティングデバイスのブロック図である。
【００１２】
【図２】一実施形態に係る、図１のコンピューティングデバイスの実施例である。
【００１３】
【図３】一実施形態に係る、図１のコンピューティングデバイスの実施例である。
【００１４】
【図４】一実施形態に係る、図１のコンピューティングデバイスの実施例である。
【００１５】
【図５】一実施形態に係る、画像フレームを表示する目的で使用される図１のコンピューティングデバイスの一部分を示すブロック図である。
【００１６】
【図６】一実施形態に係る、電子ディスプレイ上に画像フレームを連続して表示するためのプロセスを示すフロー図である。
【００１７】
【図７】一実施形態に係る、画像フレームを表示するのに使用するリフレッシュレートを判定するためのプロセスを示すフロー図である。
【００１８】
【図８】一実施形態に係る、単一画素に関して画像フレームを表示するのに使用するリフレッシュレートを判定するためのプロセスを示すフロー図である。
【００１９】
【図９】一実施形態に係る、電子ディスプレイの第１の仮想動作の実施例である。
【００２０】
【図１０】一実施形態に係る、電子ディスプレイの第２の仮想動作の実施例である。
【００２１】
【図１１】一実施形態に係る、画像フレームを表示するのに使用するリフレッシュレートを判定するための別のプロセスを示すフロー図である。
【００２２】
【図１２】一実施形態に係る、電子ディスプレイの第３の仮想動作の実施例である。
【００２３】
【図１３】一実施形態に係る、画像フレームを表示するのに使用するリフレッシュレートを判定するための更なるプロセスを示すフロー図である。
【００２４】
【図１４】一実施形態に係る、電子ディスプレイの第４の仮想動作の実施例である。
【００２５】
【図１５】一実施形態に係る、電子ディスプレイの第５の仮想動作の実施例である。
【発明を実施するための形態】
【００２６】
本開示の１つ以上のある特定の実施形態を以下に述べる。これらの述べる実施形態は、本明細書で開示されている技術の実施例に過ぎない。更に、これらの実施形態の簡潔な説明を提供するために、本明細書に実際の実施態様の全ての特徴が示されるとは限らない。いずれの工学プロジェクト又は設計プロジェクトの場合とも同様に、いずれのそのような実際的な実装の開発に際しても、実装ごとに異なり得る、システム関連及びビジネス関連の制約の準拠などの、開発者の具体的な目的を達成するために、実装に固有の多数の決定を行わなければならないことを理解するべきである。更に、開発努力は複雑で時間がかかる可能性があるが、それでも、本開示の利益を有する当業者には、設計、製作、及び製造の通常業務であり得ることを理解されたい。
【００２７】
本開示の様々な実施形態の要素を紹介するときに、冠詞「ａ」、「ａｎ」、及び「ｔｈｅ」は、１つ以上の要素があることを意味する。用語「備える」、「含む」、及び「有する」は、包括的であることを意図し、列挙した要素以外の付加的な要素がある可能性があることを意味する。更に、本開示の「一実施形態」又は「実施形態」の参照は、列挙した特徴を組み込む追加の実施形態の存在を除外するように解釈されることを意図したものではないことを理解されたい。
【００２８】
上述のとおり、電子ディスプレイは、ディスプレイパネル上の画素に電圧を印加することによって画像フレームを表示し得る。より具体的には、画素は、印加された電圧の大きさに少なくとも部分的に基づいて、光を伝導し得る。ただし、直流（ＤＣ）電圧が画素に長期間印加されると、その画素内で反転不均衡が蓄積する恐れがあり、それによって画素が極性化し、表示画質が低下し得る。例えば、画素に正電圧が長期間印加されると、画素は正に極性化され始める恐れがある。そのため、画素に電圧が印加されると、正極性化により、その画素が、印加された電圧よりも高い電圧を有する恐れがあり、これによって画素が不正確に光を伝導する（例えば、視覚アーチファクト）。
【００２９】
そのため、反転平衡化技法を用いてこのような視覚アーチファクトの発生を低減することは有益であり得る。より具体的には、画素が極性化する可能性は、画素に対する正極電圧の印加と負極電圧の印加とを交互に行うことによって低減され得る。本明細書内で使用される１「組の電圧極性」は、画像フレームを表示するために画素に印加された電圧極性を表すものである。言い換えると、反転技法は概して、第１の組の電圧極性を印加することと第２の組の電圧極性を印加することとを交互に行うため、一方の組の電圧極性が印加された時には、各々の画素に印加された電圧極性が正であり、他方の組の電圧極性が印加された時には負である。
【００３０】
例えば、列反転技法の場合、第１の組の電圧極性は、奇数列に正極電圧、そして偶数列に負極電圧を印加することを含み、第２の組の電圧極性は、奇数列に負極性電圧、そして偶数列に正極電圧を印加することを含み得る。言い換えると、第１の画像フレームは、第１の組の電圧極性を画素に印加することによって表示され、連続して表示される第２の画像フレームは、第２の組の画像極性を印加することによって表示され得る。そのため、一定のリフレッシュレートでは、各々の画素に印加された逆極性電圧が互いに打ち消し合い、反転不均衡（例えば極性化）のリスクを低減し得る。
【００３１】
ただし、いくつかの実施形態においては、電子ディスプレイが、可変的なリフレッシュレートに切り替わる能力を有し得る。例えば、電子ディスプレイにおいて、使用するリフレッシュレートが、通常のリフレッシュレート（例えば、フレーム当たり６０Ｈｚ）から、低減リフレッシュレート（例えば、フレーム当たり４５Ｈｚ又は３０Ｈｚ）に、そしてその逆に切り替わり得る。本明細書で用いられる「通常のリフレッシュレート」は、電子ディスプレイが静的なコンテンツ及び可変的なコンテンツの両方を表示できるようにするリフレッシュレートを表すものであり、「低減リフレッシュレート」は、通常のリフレッシュレートよりも低い任意のリフレッシュレートを表すものである。例えば、可変的なリフレッシュレートが使用されている時には、第１の画像フレームを表示するのに使用されるリフレッシュレートが、第２の画像フレームを表示するのに使用されるリフレッシュレートとは異なり得る。言い換えると、各組の電圧極性が画素内で保たれる持続時間は様々であり得る。
【００３２】
このような実施形態においては、画素に印加される電圧の極性を交互に切り替えても、画素が極性化する可能性がある。例えば、極端な事例では、第１の画像フレームが、第１の組の電圧極性を印加することによって３０Ｈｚで表示されることがあり、第２の画像フレームが、第２の組の電圧極性を印加することによって６０Ｈｚで表示されることがあり、第３の画像フレームが、第１の組の電圧極性を印加することによって３０Ｈｚで表示されることがあり、第４の画像フレームが、第２の組の電圧極性を印加することによって６０Ｈｚで表示されることがあり、以下同様である。このような事例においては、長期間にわたり、奇数列内の画素が正に極性化され、偶数列内の画素が負に極性化され得る。
【００３３】
そのため、以下で詳述するとおり、本明細書に記載の技法は、各々の画像フレームを表示するために電圧がその画素内で保持される極性及び持続時間を考慮することにより、電子ディスプレイの画素内で蓄積する反転不均衡（例えば極性化）を低減し得る。例えば、いくつかの実施形態においては、電子ディスプレイが、可変リフレッシュレートで画像フレームを表示するディスプレイパネルと、タイミングコントローラと、を備え得る。より具体的には、タイミングコントローラが、画像ソースから画像データを受信し、ディスプレイパネルの極性化を判定し、ディスプレイパネルの極性化に少なくとも部分的に基づいて、ディスプレイパネルに電圧を印加してディスプレイパネルに画像フレームを書き込むよう電子ディスプレイ内のドライバに命令する。例えば、極性化を判定するために、タイミングコントローラは、第１の組の電圧極性が印加された時にカウンタ値が増大し、第２の組の電圧極性が印加された時にカウンタ値が減少するカウンタを使用する。そのため、タイミングコントローラは、カウンタ値をゼロへと向かわせる組の電圧極性を印加することにより、ディスプレイパネル内に蓄積した反転不均衡を低減し得る。
【００３４】
ただし、いくつかの実施形態においては、同じ組の電圧極性を使用して連続画像フレームを表示すると、知覚可能な輝度スパイクが発生し得る。そのため、本明細書に記載の技法は、第１の組の電圧極性と第２の組の電圧極性とを交互に切り替えて連続画像フレームを表示することにより、知覚可能な輝度スパイクの可能性を低減し得る。こうして、画素の反転不均衡を低減するか少なくとも維持する（例えば悪化させない）ために、ディスプレイパネルの極性化とは反対の組の電圧極性を使用して、低減リフレッシュレート（例えば６０Ｈｚ未満）で表示された画像フレームが画素に書き込まれ得る。例えば、奇数列内の画素が負に極性化され、偶数列内の画素が正に極性化されている場合には、第１の組の電圧極性（例えば、奇数列に印加された正極及び偶数列に印加された負極）を印加することにより、低減リフレッシュレートで表示される画像フレームが表示され得る。その一方で、奇数列内の画素が正に極性化され、偶数列内の画素が負に極性化されている場合には、第２の組の電圧極性（例えば、奇数列に印加された負極及び偶数列に印加された正極）を印加することにより、低減リフレッシュレートで表示される画像フレームが表示され得る。
【００３５】
更に、連続画像フレームの表示に使用するリフレッシュレートを急に下げると、リフレッシュレートの変化の知覚性が高まり得る。そのため、いくつかの実施形態においては、目標リフレッシュレート（例えば３０Ｈｚ）まで徐々に下げるために、段階的に低減した中間リフレッシュレート（例えば４５Ｈｚ）が使用され得る。こうして、画素の反転不均衡を低減するか少なくとも維持する（例えば悪化させない）ために、偶数の画像フレームが、段階的に低減した各々の中間リフレッシュレートで表示され得る。例えば、第１の組の電圧極性を印加することによって第１の画像フレームが６０Ｈｚで表示され、第２の組の電圧極性を印加することによって第２の画像フレームが４５Ｈｚという段階的に低減した中間リフレッシュレートで表示され、第１の組の電圧極性を印加することによって第３の画像フレームが４５Ｈｚという段階的に低減した中間リフレッシュレートで表示され、第２の組の電圧極性を印加することによって第４の画像フレームが３０Ｈｚという目標低減リフレッシュレートで表示され得る。
【００３６】
加えて、反転不均衡を更に低減するために、可変的なリフレッシュレートを使用してもよく、そうすると、反転不均衡と同じ極性を有する第１の組の電圧極性を使用して書き込まれた画像フレームは、より短時間表示され得（例えば高リフレッシュレート）、反対の極性を有する第２の組の電圧極性を使用して書き込まれた画像フレームは、反転不均衡が長時間表示され得る（例えば低リフレッシュレート）。例えば、奇数列内の画素が負に極性化され、偶数列内の画素が正に極性化されている場合には、第１の組の電圧極性（例えば、奇数列に印加された正極及び偶数列に印加された負極）を高リフレッシュレート（例えば６５Ｈｚ）で印加することによって第１の画像フレームが表示され、第２の組の電圧極性（例えば、奇数列に印加された負極及び偶数列に印加された正極）を低リフレッシュレート（例えば５５Ｈｚ）で印加することによって第２の画像フレームが表示される。
【００３７】
言い換えると、本明細書に記載の技法は、反転不均衡によって生じる視覚アーチファクトの蓋然性を低減しつつ、電子ディスプレイにおける輝度スパイクの可能性及び／又はリフレッシュレートの低下の知覚性も低減し得る。例示目的で、電子ディスプレイ１２を用いて画像フレームを表示するコンピューティングデバイス１０を図１に示す。以下で詳述するが、コンピューティングデバイス１０は、ハンドヘルドコンピューティングデバイス、タブレットコンピューティングデバイス、ノートブックコンピュータなど、任意の好適なコンピューティングデバイスであってよい。
【００３８】
そのため、図示のとおり、コンピューティングデバイス１０は、ディスプレイ１２、入力構造体１４、入力／出力（Ｉ／Ｏ）ポート１６、１つ以上のプロセッサ１８、メモリ２０、不揮発性記憶装置２２、ネットワークインタフェース２４、電源２６、及び画像処理回路２７を備える。図１に記載される様々な構成要素は、ハードウェア要素（回路を含む）、ソフトウェア要素（非一時的コンピュータ可読媒体上に記憶されたコンピュータコードを含む）、又はハードウェア要素とソフトウェア要素両方の組み合わせを含んでもよい。図１は特定の実施態様の一実施例に過ぎず、コンピューティングデバイス１０内に存在し得る構成要素のタイプを示すものであることに注意されたい。更に、様々な図示された構成要素は、より数の少ない構成要素に組み合わされてもよく、あるいは追加の構成要素に分けられてもよい。例えば、画像処理回路２７（例えば、グラフィック処理ユニット）が、１つ以上のプロセッサ１８に含まれてもよい。
【００３９】
図示のとおり、プロセッサ１８及び／又は画像処理回路２７は、メモリ２０及び／又は不揮発性記憶デバイス２２と作用可能に連結される。より具体的には、プロセッサ１８及び／又は画像処理回路２７はメモリ２０及び／又は不揮発性記憶デバイス２２に記憶されている命令を実行することで、例えば画像データを生成及び／又は送信するなど、コンピューティングデバイス１０にて動作を行うことができる。このように、プロセッサ１８及び／又は画像処理回路２７は、１つ以上の汎用マイクロプロセッサ、１つ以上の特定用途向けプロセッサ（ＡＳＩＣ）、１つ以上のフィールドプログラマブルロジックアレイ（ＦＰＧＡ）、又はそれらの任意の組み合わせを含むことができる。更に、メモリ２０及び／又は不揮発性記憶デバイス２２は、プロセッサ１８及び／又は画像処理回路２７によって実行可能な命令、並びにそれによって処理されるデータを記憶する、有形の非一時的コンピュータ可読媒体であってもよい。言い換えると、メモリ２０はランダムアクセスメモリ（ＲＡＭ）を備えてもよく、不揮発性記憶デバイス２２は読み出し専用メモリ（ＲＯＭ）、書き換え可能フラッシュメモリ、ハードドライブ、光学ディスクなどを含んでもよい。例として、命令を格納しているコンピュータプログラム製品として、オペレーティングシステム又はアプリケーションプログラムを挙げることができる。
【００４０】
更に、図示のとおり、プロセッサ１８はネットワークインタフェース２４と作用可能に連結されており、コンピューティングデバイス１０をネットワークに通信可能に連結する。例えば、ネットワークインタフェース２４は、コンピューティングデバイス１０を、Ｂｌｕｅｔｏｏｔｈ（登録商標）ネットワークなどのパーソナルエリアネットワーク（ＰＡＮ）、８０２．１１ｘ  Ｗｉ−Ｆｉ（登録商標）ネットワークなどのローカルエリアネットワーク（ＬＡＮ）、４Ｇ又はＬＴＥ（登録商標）セルラーネットワークなどの広域ネットワーク（ＷＡＮ）に接続してもよい。更に、図示のとおり、プロセッサ１８は電源２６と作用可能に連結しており、コンピューティングデバイス１０における様々な構成要素に電力を供給する。このように、電源２６は、充電式リチウムポリマー（Ｌｉ−ｐｏｌｙ）バッテリ及び／又は交流（ＡＣ）電力変換装置などの任意の好適なエネルギーを含んでもよい。
【００４１】
図示のとおり、プロセッサ１８はまた、コンピューティングデバイス１０に様々な他の電子デバイスとインタフェースで接続することを可能とするＩ／Ｏポート１６、及び、ユーザにコンピューティングデバイス１０と相互作用することを可能とし得る入力構造体１４とも、作用可能に連結している。したがって、これらの入力構造体１４は、ボタン、キーボード、マウス、トラックパッドなどを含んでもよい。更に、いくつかの実施形態においては、ディスプレイ１２はタッチ感知式の構成要素を含んでもよい。
【００４２】
ディスプレイ１２は、ユーザ入力を可能にすることに加え、オペレーティングシステムのグラフィカルユーザインタフェース（ＧＵＩ）、アプリケーションインタフェース、静止画、又は動画などの画像フレームを表示し得る。図示のとおり、ディスプレイはプロセッサ１８及び画像処理回路２７に作用可能に連結される。したがって、ディスプレイ１２によって表示される画像フレームは、プロセッサ１８及び／又は画像処理回路２７から受信した画像データに基づいてもよい。
【００４３】
以下で詳述するが、ディスプレイ１２が受信した画像データは、対応する画像フレームを表示するのに使用するリフレッシュレートを判定する目的で使用され得る。例えば、プロセッサ１８及び／又は画像処理回路２７は、使用する所望のリフレッシュレートを、画像データに含まれる垂直ブランク（Ｖｂｌａｎｋ）ラインの数に基づいて通信してもよい。一般に、ライン（例えば、垂直ブランクライン及びアクティブライン）の数は、画像フレームが表示される持続時間と直接対応し得る。なぜなら、ディスプレイ１２が１本のラインを書き込むのにかかる時間は概して一定だからである。例えば、表示された画像フレームが２８８０×１８００の解像度を有し、６０Ｈｚで表示される時、画像データは、５２本の垂直ブランクラインと１８００本のアクティブラインとを含み得る。よって、画像フレームが表示される持続時間は、１８５２ラインと表すことができる。
【００４４】
上述のとおり、コンピューティングデバイス１０は任意の好適な電子デバイスであってもよい。図示目的で、図２に、携帯電話、メディアプレーヤ、個人データオーガナイザ、ハンドヘルドゲームプラットホーム、又はそのような装置の任意の組み合わせであり得る、ハンドヘルドデバイス１０Ａの一例を記載する。例えば、ハンドヘルドデバイス１０Ａは、Ａｐｐｌｅ  Ｉｎｃ．から入手可能なｉＰｏｄ又はｉＰｈｏｎｅの任意のモデルであってよい。
【００４５】
図示のとおり、ハンドヘルドデバイス１０Ａは、物理的損傷から内部構成要素を保護し、かつ、電磁干渉からそれらを遮蔽することができるエンクロージャ２８を含む。エンクロージャ２８は、図示する実施形態においてはアイコン３２のアレイを有するグラフィカルユーザインタフェース（ＧＵＩ）３０を表示するディスプレイ１２を取り囲んでもよい。例として、アイコン３２がディスプレイ１２の入力構造体１４又はタッチ感知構成要素のいずれかによって選択されると、アプリケーションプログラムが起動してもよい。
【００４６】
更に、図示のとおり、入力構造体１４はエンクロージャ２８を開通していていてもよい。上述のとおり、入力構造体１４はユーザに、ハンドヘルドデバイス１０Ａと相互作用することを可能とし得る。例えば、入力構造体１４は、ハンドヘルドデバイス１０Ａのアクティブ化又は非アクティブ化、ホーム画面へのユーザインタフェースのナビゲート、ユーザ設定が可能なアプリケーション画面へのユーザインタフェースのナビゲート、音声認識機能のアクティブ化、音量コントロールの提供、振動モードと着信音モードとの切り替えを行い得る。更に、図示のとおり、Ｉ／Ｏポート１６はエンクロージャ２８を開通している。いくつかの実施形態において、Ｉ／Ｏポート１６は、例えば、外部デバイスに接続するためのオーディオジャックを備え得る。
【００４７】
好適なコンピューティングデバイス１０を更に例示するために、Ａｐｐｌｅ  Ｉｎｃ．より入手可能なｉＰａｄの任意のモデルなど、タブレットデバイス１０Ｂが図３に記載されている。加えて、他の実施形態においては、コンピューティングデバイス１０が、Ａｐｐｌｅ  Ｉｎｃ．より入手可能な任意のＭａｃＢｏｏｋ又はｉＭａｃなど、図４に示すようなコンピュータ１０Ｃの形態をとり得る。図示のとおり、コンピュータ１０Ｃは、ディスプレイ１２、入力構造体１４、Ｉ／Ｏポート１６、及び筐体２８も備える。
【００４８】
上述のとおり、ディスプレイ１２は、プロセッサ１８及び／又は画像処理回路２７から受信した画像データに基づいて画像フレームを表示し得る。より具体的には、画像データは、プロセッサ１８、画像処理回路２７、及びディスプレイ１２自身の任意の組み合わせによって処理されてもよい。図示目的で、図５に、画像データを処理し、通信するコンピューティングデバイス１０の一部３４を記載する。
【００４９】
図示のとおり、コンピューティングデバイス１０の一部３４は、画像ソース３６、タイミングコントローラ（ＴＣＯＮ）３８、及びディスプレイドライバ４０を備える。より具体的には、画像ソース３６は、画像データを生成し、画像データをタイミングコントローラ３８に送信し得る。したがって、いくつかの実施形態においては、ソース３６はプロセッサ１８及び／又は画像処理回路２７であってもよい。加えて、タイミングコントローラ３８は、受信した画像データを分析して、電子ディスプレイ１２のディスプレイパネルに電圧を印加することによって画像フレームを画素に書き込むようドライバ４０に命令し得る。そのため、いくつかの実施形態においては、タイミングコントローラ３８及びディスプレイドライバ４０が電子ディスプレイ１２に含まれてもよい。
【００５０】
画像データの処理／分析を容易にし、及び／又は他の動作を行うために、タイミングコントローラ３８はプロセッサ４２及びメモリ４４を備えてもよい。いくつかの実施形態においては、プロセッサ１８及び／又は画像処理回路２７内にタイミングコントローラプロセッサ４２を備えてもよい。他の実施形態においては、タイミングコントローラプロセッサ４２は別個の処理モジュールであってもよい。更に、いくつかの実施形態においては、タイミングコントローラメモリ４４は、メモリ２０、記憶デバイス２２、又は別の有形の非一時的コンピュータ可読媒体に備えられてもよい。他の実施形態においては、タイミングコントローラメモリ４４は、タイミングコントローラプロセッサ４２によって実行可能な命令を記憶する、別個の有形の非一時的コンピュータ可読媒体であってもよい。
【００５１】
より具体的には、タイミングコントローラ３８は、受信した画像データを分析して、所望の画像フレームを得るために各画素に印加する電圧の大きさを判定し、その大きさに従ってドライバ４０に命令し得る。加えて、タイミングコントローラ３８は、受信した画像データを分析して、画像データによって示される画像フレームを表示するのに使用する所望のリフレッシュレートを判定し、それに従ってドライバ４０に命令し得る。
【００５２】
いくつかの実施形態において、タイミングコントローラ３８は、画像データに含まれる垂直ブランク（Ｖｂｌａｎｋ）ライン及び／又はアクティブラインの数に少なくとも部分的に基づいて所望のリフレッシュレートを判定し得る。例えば、ディスプレイ１２が２８８０×１８００の解像度で画像フレームを表示すると、タイミングコントローラ３８は、対応する画像データが５２本の垂直ブランクラインと１８００本のアクティブラインとを含むとタイミングコントローラ３８が判定した場合に第１の画像フレームを６０Ｈｚで表示するようドライバ４０に命令し得る。加えて、タイミングコントローラ３８は、対応する画像データが１９０４本の垂直ブランクラインと１８００本のアクティブラインとを含むとタイミングコントローラ３８が判定した場合に第２の画像フレームを３０Ｈｚで表示するようドライバ４０に命令し得る。
【００５３】
ディスプレイパネル内の画素の各列が連続して書き込まれるため、画像フレームが表示される持続時間は、対応する画像データ内のアクティブラインの数を含み得る。加えて、その対応する画像データ内の垂直ブランクラインが受信されると、表示された画像フレームは引き続き表示され得る。そのため、画像フレームが表示される総持続時間は、その対応する画像データ内の垂直ブランクラインの数とアクティブラインの数の合計で表すことができる。例示目的で、上記の例で続けると、第１の画像フレームが表示される持続時間は１８５２ライン、第２の画像フレームが表示される持続時間は３７０４ラインであり得る。言い換えると、本明細書において、ラインは、時間の単位を表す目的で使用され得る。
【００５４】
上述のとおり、正極電圧及び負極電圧がディスプレイパネルに印加される持続時間は、電子ディスプレイ１２内の画素を極性化し得る。そのため、いくつかの実施形態においては、タイミングコントローラ３８がカウンタ４６を使用し、その増減により、各組の電圧極性が保たれる持続時間を把握し得る。例えば、カウンタ４６は、対応する画像フレームが第１の組の電圧極性を使用して表示されると、画像データに含まれるラインの数を増大し得る。その一方で、カウンタ４６は、対応する画像フレームが第２の組の電圧極性を使用して表示されると、画像データに含まれるラインの数を減少し得る。追加又は代替として、カウンタ４６は、各組の電圧極性が保たれる時間を把握するタイマーを備え得る。
【００５５】
そのため、タイミングコントローラ３８は、カウンタ値をゼロへと向かわせる１組の電圧極性を使用して以降の画像フレームを表示することにより、電子ディスプレイ１２の画素内に蓄積した反転不均衡を低減し得る。例示目的で、電子ディスプレイ１２上で画像フレームを連続的に表示するためのプロセス４８の一実施形態を図６に示す。概して、プロセス４８は、電子ディスプレイの極性化を判定すること（プロセスブロック５０）と、次の画像フレームを表示するのに使用するリフレッシュレートを判定すること（プロセスブロック５２）と、次の画像フレームを表示するのに使用する電圧極性を判定すること（プロセスブロック５４）と、画像フレームを表示する（プロセスブロック５６）ことと、プロセスブロック５２に戻る（矢印５８）ことと、を含む。いくつかの実施形態において、プロセス４８は、タイミングコントローラメモリ４４及び／又は別の好適な有形の非一時的コンピュータ可読媒体に記憶され、タイミングコントローラプロセッサ４２及び／又は別の好適な処理回路によって実行可能な命令を用いて実行されてもよい。
【００５６】
そのため、画像ソース３６から画像データを受信すると、タイミングコントローラ３８は、電子ディスプレイ１２の極性化を判定し得る（プロセスブロック５０）。より具体的には、タイミングコントローラ３８は、カウンタ４６にポーリングしてカウンタ値を判定し得る。カウンタ値に基づいて、タイミングコントローラ３８は、電子ディスプレイ１２が第１の組の電圧極性又は第２の組の電圧極性のどちらの方に極性化されているかを判定し得る。例えば、カウンタ値がゼロより大きければ、タイミングコントローラ３８は、電子ディスプレイ１２が第１の組の電圧極性の方に極性化されていると判定し得る。その一方で、カウンタ値がゼロ未満であれば、タイミングコントローラ３８は、電子ディスプレイ１２が第２の組の電圧極性の方に極性化されていると判定し得る。
【００５７】
加えて、タイミングコントローラ３８は、次の画像フレームを表示するのに使用するリフレッシュレートを判定し得る（プロセスブロック５２）。より具体的には、タイミングコントローラ３８は、画像ソース３６から受信した画像データに含まれるライン（例えば、アクティブライン及びブランクライン）の数に少なくとも部分的に基づいて所望のリフレッシュレートを判定し得る。例えば、ディスプレイ１２が２８８０×１８００の解像度を有する場合、タイミングコントローラ３８は、画像データが５２本の垂直ブランクラインと１８００本のアクティブラインとを含んでいると、対応する画像フレームの所望のリフレッシュレートが６０Ｈｚであると判定し得る。加えて、タイミングコントローラ３８は、画像データが１９０４本の垂直ブランクラインと１８００本のアクティブラインとを含んでいると、対応する画像フレームの所望のリフレッシュレートが３０Ｈｚであると判定し得る。
【００５８】
ただし、時には、画素内の反転不均衡を低減するか又は少なくとも維持するために、次の画像フレームを表示するのに使用するリフレッシュレートが所望のリフレッシュレートから逸脱することがある。より具体的には、以下に詳述するとおり、電子ディスプレイ１２の極性化に等しい１組の電圧極性を使用して表示された画像フレームが表示される持続時間が同等以下となるようにリフレッシュレートが判定され得る。例えば、所望のリフレッシュレートが６０Ｈｚなどの通常のリフレッシュレートである場合、判定されたリフレッシュレート（例えば６５Ｈｚ）は、反転不均衡を低減しやすくするために、所望のリフレッシュレートを上回り得る。
【００５９】
加えて、所望のリフレッシュレートが３０Ｈｚなどの低減リフレッシュレートである場合には、次の画像フレームを所望のリフレッシュレートで表示すると、電子ディスプレイ１２内に蓄積した反転不均衡が増大し得る。例えば、電子ディスプレイ１２が第１の組の電圧極性の方に極性化されている場合、次の画像フレームを第１の組の電圧極性を使用して低減リフレッシュレートで表示すると、第１の組の電圧極性の方への極性化が増大し得る。代わりに、いくつかの実施形態においては、次の画像フレームが通常のリフレッシュレート（例えば６０Ｈｚ）で表示され、続く画像フレームが所望のリフレッシュレート（例えば３０Ｈｚ）で表示され得る。
【００６０】
したがって、タイミングコントローラ３８は、次の画像フレームを表示するのに使用する組の電圧極性を判定し得る（プロセスブロック５４）。上述のとおり、輝度スパイクの蓋然性は、連続画像フレームを表示するために各画素に印加される極性が正と負との間で切り替わるように第１の組の電圧極性と第２の組の電圧極性との間で交互に切り替えることによって低減され得る。そのため、タイミングコントローラ３８は、次の画像フレームを表示するのに使用する組の電圧極性が、直前の画像フレームを表示するのに使用された組の電圧極性とは反対であると判定し得る。例えば、前の画像フレームが第１の組の電圧極性を使用して表示されている場合、タイミングコントローラ３８は、次の画像フレームが第２の組の電圧極性を使用して表示されるべきであると判定し得る。
【００６１】
タイミングコントローラ３８は次に、ディスプレイパネル上の画素に複数組の電圧極性を印加することによって１つ以上の画像フレームを表示するようディスプレイドライバ４０に命令し得る（プロセスブロック５６）。より具体的には、タイミングコントローラ３８は、判定された組の電圧極性を判定されたリフレッシュレートでディスプレイ１２に印加することによって次の画像フレームを表示するようディスプレイドライバ４０に命令し得る。加えて、判定されたリフレッシュレートが所望のリフレッシュレートでない場合には、タイミングコントローラ３８が、その後は画像フレームを所望のリフレッシュレートで表示するようにディスプレイドライバ４０に命令し得る。
【００６２】
言い換えると、電子ディスプレイ１２の極性化を低減するか又は少なくとも維持するために、次の画像フレームは、所望のリフレッシュレートが低減リフレッシュレート（例えば３０Ｈｚ）であっても通常のリフレッシュレート（例えば６０Ｈｚ）で表示され得る。例えば、次の画像フレームは、第１の組の電圧極性を印加することによってまず通常のリフレッシュレート（例えば６０Ｈｚ）で表示され、続いて第２の組の電圧極性を印加することによって所望の低減リフレッシュレートで繰り返され得る。このようにして、第１の組の電圧極性の方へのディスプレイパネルの極性化が減少し得る。
【００６３】
例示目的で、１つ以上の画像フレームを表示するのに使用するリフレッシュレートを判定するためのプロセス５８を図７に示す。概して、プロセス５８は、所望のリフレッシュレートが低減リフレッシュレートであると判定する（プロセスブロック６０）ことと、次の画像フレームを表示するのに使用する極性が電子ディスプレイの極性化に等しいかどうかを判定する（判定ブロック６２）ことと、次の画像フレームを表示するのに使用する極性が電子ディスプレイの極性化に等しい場合には画像フレームを通常のリフレッシュレートで表示する（プロセスブロック６４）ことと、画像フレームを所望のリフレッシュレートで表示する（プロセスブロック６６）こととを含む。いくつかの実施形態において、プロセス５８は、タイミングコントローラメモリ４４及び／又は別の好適な有形の非一時的コンピュータ可読媒体に記憶され、タイミングコントローラプロセッサ４２及び／又は別の好適な処理回路によって実行可能な命令を用いて実行されてもよい。
【００６４】
こうして、タイミングコントローラ３８は、所望のリフレッシュレートが低減リフレッシュレートであるかどうかを判定し得る（プロセスブロック６０）。いくつかの実施形態においては、通常のリフレッシュレート（例えば６０Ｈｚ）がメモリ４４に記憶され得る。そのため、タイミングコントローラ３８は、通常のリフレッシュレートを取得し、所望のリフレッシュレートと比較し得る。より具体的には、所望のリフレッシュレートが通常のリフレッシュレート未満である場合、タイミングコントローラ３８は、所望のリフレッシュレートが低減リフレッシュレートであると判定し得る。
【００６５】
タイミングコントローラ３８は次に、次の画像フレームを表示するのに使用する極性が電子ディスプレイ１２の極性化に等しいかどうかを判定し得る（判定ブロック６２）。いくつかの実施形態においては、次の画像フレームを表示するのに使用する組の電圧極性の明示及び電子ディスプレイ１２の極性化の明示（例えば、カウンタ値）がメモリ４４に記憶され得る。したがって、タイミングコントローラ３８は、次の画像フレームを表示するのに使用する組の電圧極性を取得し、電子ディスプレイ１２の極性化と比較し得る。
【００６６】
それらの極性が等しいとタイミングコントローラ３８が判定すると、タイミングコントローラ３８は、次の画像フレームを通常のリフレッシュレートで表示し（プロセスブロック６４）、続く画像フレームを所望の低減リフレッシュレートで表示する（プロセスブロック６６）ようディスプレイドライバ４０に命令し得る。その一方で、それらが等しくないとタイミングコントローラ３８が判定すると、タイミングコントローラ３８は、次の画像フレームを所望の低減リフレッシュレートで表示する（プロセスブロック６６）ようディスプレイドライバ４０に命令し得る。このようにして、電子ディスプレイ１２の極性化とは反対の組の電圧極性を使用して画像フレームを低減リフレッシュレートで表示することにより、電子ディスプレイ１２の極性化が減少し得るか、又は少なくとも維持され得る。
【００６７】
上述のとおり、画像フレームを電子ディスプレイ１２に書き込むのに、様々な反転技法が用いられ得る。ただし、各々の反転技法において、画像フレームを連続して表示するために画素に印加される電圧極性は、概して、正極と負極との間で交互に替わる。例えば、列反転技法においては、第１の組の電圧極性が、奇数列に正極電圧を印加し、偶数列に負極電圧を印加し得る。そのため、第１の組の電圧極性が印加された場合には、奇数列内の画素が正極性化寄りに調節され、偶数列内の画素が負極性化寄りに調節され得る。更には、第１の組の電圧極性が画素の各々に印加される持続時間が略同じであることから、画素の各々で生じる極性化の変化は概して同じであり得る。
【００６８】
実際、判定された単一画素のリフレッシュレートから、電子ディスプレイ上の画素の各々を推定することが可能であり得る。言い換えると、判定されたリフレッシュレートは、単一画素に基づくかディスプレイパネル全体に基づくかに関係なく同じであり得る。そのため、単一画素に関するプロセス５８Ａを図８に示す。
【００６９】
図８に示すとおり、タイミングコントローラ３８は、例えばカウンタ値に基づいて、画素の極性化を判定し得る（判定ブロック６８）。加えて、タイミングコントローラ３８は、例えば、印加された電圧極性の交互切り替えパターンに基づいて、次の画像フレームを表示するために画素に印加され得る電圧極性を判定し得る（判定ブロック７０）。
【００７０】
タイミングコントローラ３８は次に、画素の極性化及び次の画像フレームを表示するために印加され得る電圧極性に基づいて、次の画像フレームを表示するのに使用するリフレッシュレートを判定し得る。より具体的には、画素極性化と次の画像フレームを表示するのに使用する電圧極性とが共に負である場合、タイミングコントローラ３８は、次の画像フレームを６０Ｈｚ（例えば、通常のリフレッシュレート）で表示し（プロセスブロック７２）、続く画像フレームを、正極電圧を使用して３０Ｈｚ（例えば、所望の低減リフレッシュレート）で表示する（プロセスブロック７６）よう電子ディスプレイ１２に命令し得る。同様に、画素極性化と次の画像フレームを表示するのに使用する電圧極性とが共に正である場合、タイミングコントローラ３８は、次の画像フレームを６０Ｈｚ（プロセスブロック７４）で表示し、続く画像フレームを、負極電圧を使用して３０Ｈｚで表示する（プロセスブロック７８）よう電子ディスプレイ１２に命令し得る。その一方で、画素極性化と次の電圧極性とが異なる場合、タイミングコントローラ３８は、次の画像フレームを３０Ｈｚで表示する（プロセスブロック７６及び７８）よう電子ディスプレイ１２に命令し得る。
【００７１】
これらの技法を図示する目的で、単一画素に関する仮想表示動作８０を図８に示す。より具体的には、仮想表示動作８０は、ｔ０からｔ６まで電子ディスプレイ１２に表示された画像フレームを表す。加えて、カウンタ値グラフ８２は、仮想表示動作８０に関するカウンタ値を表す。
【００７２】
図示された実施形態において、タイミングコントローラ３８は、ｔ０で所望の低減リフレッシュレートを有する第１の画像データを受信し得る。実際、所望のリフレッシュレートは、電子ディスプレイが使用する下限リフレッシュレートであり得る。第１の画像データに基づいて、タイミングコントローラ３８は、第１の組の電圧極性を低減リフレッシュレートでディスプレイパネルに印加してｔ０からｔ１まで第１の画像フレームを表示するようディスプレイドライバ４０に命令し得る。より具体的には、第１の組の電圧極性は負極電圧を画素に印加し得る。こうして、図示のとおり、ｔ０からｔ１までの間でカウンタ値が減少しており、負極電圧が画素に印加される持続時間（例えば、第１の組の電圧極性がディスプレイパネルに印加される持続時間）を表す。
【００７３】
ｔ１で、タイミングコントローラ３８は、所望の通常リフレッシュレート（例えば６０Ｈｚ）を有する第２の画像データを受信し得る。第２の画像データに基づいて、タイミングコントローラ３８は、第２の組の電圧極性を通常のリフレッシュレートでディスプレイパネルに印加してｔ１からｔ２まで第２の画像フレームを表示するようディスプレイドライバ４０に命令し得る。より具体的には、第２の組の電圧極性は正極電圧を画素に印加し得る。こうして、図示のとおり、ｔ１からｔ２までの間でカウンタ値が増大しており、正極電圧が画素に印加される持続時間（例えば、第２の組の電圧極性がディスプレイパネルに印加される持続時間）を表す。
【００７４】
ｔ２で、タイミングコントローラ３８は、所望の通常リフレッシュレート（例えば６０Ｈｚ）を有する第３の画像データを受信し得る。第３の画像データに基づいて、タイミングコントローラ３８は、第１の組の電圧極性を通常のリフレッシュレートでディスプレイパネルに印加してｔ２からｔ３まで第３の画像フレームを表示するようディスプレイドライバ４０に命令し得る。こうして、図示のとおり、ｔ２からｔ３までの間でカウンタ値が減少しており、負極電圧が画素に印加される持続時間を表す。
【００７５】
ｔ３で、タイミングコントローラ３８は、所望の低減リフレッシュレート（例えば３０Ｈｚ）を有する第４の画像データを受信し得る。所望のリフレッシュレートが低減リフレッシュレートであることから、タイミングコントローラ３８は、次の画像フレームを表示するのに使用する電圧極性と画素の極性化とを比較し得る。より具体的には、負極を印加することによって第３の画像フレームが表示されたことから、タイミングコントローラ３８は、正極を印加することによって次の画像フレームが表示され得ると判定し得る。加えて、カウンタ値が負であることから、タイミングコントローラ３８は、画素が負に極性化されていると判定し得る。
【００７６】
極性が反対であることから、タイミングコントローラ３８は、第２の組の電圧極性を低減リフレッシュレートでディスプレイパネルに印加して、第４の画像データに基づいてｔ３からｔ４まで第４の画像フレームを表示するようディスプレイドライバ４０に命令し得る。こうして、図示のとおり、ｔ３からｔ４までの間でカウンタ値が増大しており、正極電圧が画素に印加される持続時間を表す。
【００７７】
ｔ４で、タイミングコントローラ３８は、所望の低減リフレッシュレート（例えば３０Ｈｚ）を有する第５の画像データを受信し得る。所望のリフレッシュレートが低減リフレッシュレートであることから、タイミングコントローラ３８は、次の画像を表示するのに使用する極性が負であり、カウンタ値が負であることから、その画素が負に極性化されていると判定し得る。極性が同じであることから、タイミングコントローラ３８は、第１の組の電圧極性を通常のリフレッシュレートでディスプレイパネルに印加して第５の画像フレームを表示するようディスプレイドライバ４０に命令し得る。いくつかの実施形態において、第５の画像フレームは、第４の画像データに基づいて、又は第５の画像データに基づいて表示され得る（例えば、第４の画像フレームの表示を繰り返す）。それでも、図示のとおり、ｔ４からｔ５までの間でカウンタ値が減少しており、負極電圧が画素に印加される持続時間を表す。
【００７８】
第５の画像データに基づいて、タイミングコントローラ３８は次に、第２の組の電圧極性を所望の低減リフレッシュレートでディスプレイパネルに印加してｔ５からｔ６まで第６の画像フレームを表示する（例えば、第５の画像フレームの表示を繰り返す）ようディスプレイドライバ４０に命令し得る。こうして、図示のとおり、ｔ５からｔ６までの間でカウンタ値が増大しており、正極電圧が画素に印加される持続時間を表す。
【００７９】
このようにして、画素及びディスプレイパネル全体に蓄積した反転不均衡が徐々に低減され得る。実際、低減リフレッシュレートで表示された画像フレームは、蓄積した反転不均衡とは反対の組の電圧極性を使用して表示されることから、反転不均衡の量は、例えば、画像フレームを下限リフレッシュレートで表示することによって生じる極性化の量によって制限され得る。例えば、図示された実施形態においては、蓄積した反転不均衡がｔ１における値によって制限され得る。言い換えると、反転不均衡は制限された範囲内に留まるため、知覚可能な視覚アーチファクトをもたらす反転不均衡の蓋然性が下がる。
【００８０】
上述のとおり、低減リフレッシュレートで画像を表示することにより、電子ディスプレイ１２によるエネルギー消費量が減少し得る。したがって、いくつかの実施形態においては、ディスプレイパネルが極性化している時でも、連続画像フレームが低減リフレッシュレートで表示される低減リフレッシュモードに電子ディスプレイ１２を維持することが所望され得る。これらの技法を例示する目的で、図９に示す仮想表示動作８０で使用されているものと同じ画像データに基づいた仮想表示動作８４を図１０に示す。より具体的には、仮想表示動作８４は、ｔ０からｔ５’まで電子ディスプレイ１２に表示された画像フレームを表す。加えて、カウンタ値グラフ８６は、仮想表示動作８４に関するカウンタ値を表す。
【００８１】
図示のとおり、仮想表示動作８４は、ｔ０からｔ４までの仮想表示動作８０と概して同じであり得る。より具体的には、ｔ０からｔ１までの間、タイミングコントローラ３８は、第１の組の電圧極性を低減リフレッシュレートでディスプレイパネルに印加して第１の画像フレームを表示するようディスプレイドライバ４０に命令し、ｔ１からｔ２までの間、タイミングコントローラ３８は、第２の組の電圧極性を通常のリフレッシュレートでディスプレイパネルに印加して第２の画像フレームを表示するようディスプレイドライバ４０に命令し、ｔ２からｔ３までの間、タイミングコントローラ３８は、第１の組の電圧極性を通常のリフレッシュレートでディスプレイパネルに印加して第３の画像フレームを表示するようディスプレイドライバ４０に命令し、ｔ３からｔ４までの間、タイミングコントローラ３８は、第２の組の電圧極性を低減リフレッシュレートでディスプレイパネルに印加してｔ３からｔ４まで第３の画像フレームを表示するようディスプレイドライバ４０に命令し得る。言い換えると、タイミングコントローラ３８は、低減リフレッシュモードに入るよう電子ディスプレイ１２に命令し得る。
【００８２】
ｔ４で、タイミングコントローラ３８は、所望の低減リフレッシュレート（例えば３０Ｈｚ）を有する第５の画像データを受信し得る。電子ディスプレイ１２が低減リフレッシュモードになっているので、タイミングコントローラ３８は、低減リフレッシュモードに留まるかどうかを判定し得る。より具体的には、タイミングコントローラ３８は、第５の画像データにおいて表される所望のリフレッシュレートが、第４の画像フレームを表示するのに使用されたリフレッシュレート以上かどうかに基づいて、低減リフレッシュモードに留まるかどうかを判定し得る。例えば、図示された実施形態においては、所望のリフレッシュレートが以上であることから、タイミングコントローラ３８は、電子ディスプレイ１２が低減リフレッシュモードに留まり得ると判定し得る。そのため、タイミングコントローラ３８は、第１の組の電圧極性を低減リフレッシュレートでディスプレイパネルに印加してｔ４からｔ５’まで第５の画像フレームを表示するようディスプレイドライバ４０に命令し得る。したがって、図示のとおり、ｔ４からｔ５’までの間でカウンタ値が減少しており、負極電圧が画素に印加される持続時間を表す。
【００８３】
その一方で、所望のリフレッシュレートが、第４の画像フレームを表示するのに使用されたリフレッシュレート未満である場合、タイミングコントローラ３８は、境界（例えば、ｔ１における値）を上回る蓄積した反転不均衡の蓋然性を低減するために、低減リフレッシュモードを一時的に終了することが望ましいと判定し得る。より具体的には、タイミングコントローラ３８は、第１の組の電圧極性を通常のリフレッシュレートでディスプレイパネルに印加して第５の画像フレームを表示し、第５の画像データに基づいて、第２の組の電圧極性を所望の低減リフレッシュレートでディスプレイパネルに印加して第６の画像フレームを表示するよう、ディスプレイドライバ４０に命令し得る。
【００８４】
上述のとおり、いくつかの実施形態においては、画像フレームを表示するのに使用されるリフレッシュレートまで変化の知覚性を低減するために、段階的に低減した中間リフレッシュレートが使用され得る。例示目的で、１つ以上の画像フレームを表示するためのプロセス８８を図１１に示す。概して、プロセス８８は、所望のリフレッシュレートが低減リフレッシュレートであると判定する（プロセスブロック９０）ことと、次の画像フレームを表示するのに使用する極性が電子ディスプレイの極性化に等しいかどうかを判定する（判定ブロック９２）ことと、次の画像フレームを表示するのに使用する極性が電子ディスプレイの極性化に等しい場合には、次の画像フレームを通常のリフレッシュレートで表示する（プロセスブロック９４）ことと、偶数の画像フレームを各々の中間リフレッシュレートで表示する（プロセスブロック９６）ことと、画像フレームを所望のリフレッシュレートで表示す（プロセスブロック９８）ことと、を含む。いくつかの実施形態において、プロセス８８は、タイミングコントローラメモリ４４及び／又は別の好適な有形の非一時的コンピュータ可読媒体に記憶され、タイミングコントローラプロセッサ４２及び／又は別の好適な処理回路によって実行可能な命令を用いて実行されてもよい。
【００８５】
プロセス５８と同様、タイミングコントローラ３８は、所望のリフレッシュレートが低減リフレッシュレートであるかどうかを判定し得る（プロセスブロック９０）。より具体的には、所望のリフレッシュレートが電子ディスプレイ１２の通常のリフレッシュレート未満である場合、タイミングコントローラ３８は、所望のリフレッシュレートが低減リフレッシュレートであると判定し得る。タイミングコントローラ３８は次に、次の画像フレームを表示するのに使用する極性が電子ディスプレイ１２の極性化に等しいかどうかを判定し得る（判定ブロック９２）。加えて、それらが等しいとタイミングコントローラ３８が判定すると、タイミングコントローラ３８は、次の画像フレームを通常のリフレッシュレートで表示するようディスプレイドライバ４０に命令し得る（プロセスブロック９４）。
【００８６】
タイミングコントローラ３８は次に、偶数個の画像フレームを１つ以上の中間リフレッシュレートで表示するようディスプレイドライバ４０に命令し得る（プロセスブロック９６）。より具体的には、タイミングコントローラ３８は、所望のリフレッシュレートが、直前の画像フレームを表示するのに使用されたリフレッシュレート未満であれば、画像フレームを１つ以上の中間リフレッシュレートで表示するようディスプレイドライバ４０に命令し得る。一般に、閾値量は、リフレッシュレートの変化がその閾値量を上回るとユーザの目で認識できるように設定され得る。
【００８７】
こうして、蓄積した反転不均衡を低減するか少なくとも維持するために、偶数の画像フレームが、各々の中間リフレッシュレートで表示され得る。例えば、第１の組の電圧極性を印加することにより、第１の画像フレームが中間リフレッシュレート（例えば４５Ｈｚ）で表示され、第２の組の電圧極性を印加することにより、第２の画像フレームが中間リフレッシュレートで表示され得る。このようにして、第１の画像フレーム及び第２の画像フレームを表示することによって生じた極性化が蓄積した反転不均衡を打ち消すか、少なくとも維持し得る（例えば悪化しない）。
【００８８】
タイミングコントローラ３８は次に、画像フレームを所望のリフレッシュレートで表示するようディスプレイドライバ４０に命令し得る（プロセスブロック９８）。そのため、電子ディスプレイ１２の極性化が減少するか、又は少なくとも維持され得ると同時に、中間リフレッシュレートを使用して電子ディスプレイ１２のリフレッシュレートを徐々に下げることにより、低減リフレッシュレートの知覚性も低減し得る。
【００８９】
上述のとおり、画像フレームを電子ディスプレイ１２に書き込むのに、様々な反転技法が用いられ得る。より具体的には、各々の反転技法において、画像フレームを連続して表示するために画素に印加される電圧極性は、概して、正極と負極との間で交互に替わる。そのため、判定された単一画素のリフレッシュレートから、電子ディスプレイ上の画素の各々を推計することが可能であり得る。
【００９０】
これらの技法を図示する目的で、単一画素に関する仮想表示動作１００を図１２に示す。より具体的には、仮想表示動作１００は、ｔ０からｔ６まで電子ディスプレイ１２に表示された画像フレームを表す。加えて、カウンタ値グラフ１０２は、仮想表示動作１００に関するカウンタ値を表す。
【００９１】
図示のとおり、仮想表示動作１００は、ｔ０からｔ３までの仮想表示動作８０と概して同じであり得る。より具体的には、ｔ０からｔ１までの間、タイミングコントローラ３８は、第１の組の電圧極性を低減リフレッシュレートでディスプレイパネルに印加して第１の画像フレームを表示するようディスプレイドライバ４０に命令し、ｔ１からｔ２までの間、タイミングコントローラ３８は、第２の組の電圧極性を通常のリフレッシュレートでディスプレイパネルに印加して第２の画像フレームを表示するようディスプレイドライバ４０に命令し、ｔ２からｔ３までの間、タイミングコントローラ３８は、第１の組の電圧極性を通常のリフレッシュレートでディスプレイパネルに印加して第３の画像フレームを表示するようディスプレイドライバ４０に命令し得る。
【００９２】
ｔ３で、タイミングコントローラ３８は、所望の低減リフレッシュレート（例えば３０Ｈｚ）を有する第４の画像データを受信し得る。所望のリフレッシュレートが低減リフレッシュレートであることから、タイミングコントローラ３８は、次の画像フレームを書き込むのに使用する電圧極性と画素の極性化とを比較し得る。より具体的には、負極を印加することによって第３の画像フレームが表示されたことから、タイミングコントローラ３８は、正極を印加することによって第４の画像フレームが表示され得ると判定し得る。加えて、カウンタ値が負であることから、タイミングコントローラ３８は、画素が負に極性化されていると判定し得る。
【００９３】
極性が反対であることから、タイミングコントローラ３８は、第４の画像データにおける所望のリフレッシュレートが、第３の画像フレームを表示するのに使用されたリフレッシュレートを閾値量を超えて下回るかどうかを判定するようディスプレイドライバ４０に命令し得る。図示された実施形態のとおり、所望のリフレッシュレートが閾値量を超えて下回っている場合には、タイミングコントローラ３８が、第１の組の電圧極性を中間リフレッシュレート（例えば４５Ｈｚ）でディスプレイパネルに印加してｔ３からｔ４まで第４の画像フレームを表示し、第２の組の電圧極性を中間リフレッシュレートでディスプレイに印加してｔ４からｔ５まで第５の画像フレームを表示するようディスプレイドライバ４０に命令し得る。
【００９４】
いくつかの実施形態においては、第４の画像フレーム及び第５の画像フレームが、第３の画像データ、第４の画像データ、又はそれらの組み合わせに基づいて表示され得る（例えば、第３の画像フレームの表示を繰り返す）。例えば、第３の画像データ又は第４の画像データに基づいて、第４及び第５の画像フレームの両方が表示され得る。追加又は代替として、第４の画像フレームは第３の画像データに基づき、第５の画像フレームは第４の画像データに基づき得る。それでも、図示のとおり、ｔ３からｔ４までの間でカウンタ値が増大しており、正極電圧が画素に印加される持続時間を表し、ｔ４からｔ５までの間でカウンタ値が減少しており、負極が画素に印加される持続時間を表す。
【００９５】
偶数個の画像フレームが中間リフレッシュレートで表示されると、タイミングコントローラ３８は、第４の画像データに基づき、第１の組の電圧極性を所望の（例えば目標）リフレッシュレートでディスプレイパネルに印加してｔ５からｔ６まで第６の画像フレームを表示するようディスプレイドライバ４０に命令し得る。こうして、図示のとおり、ｔ５からｔ６までの間でカウンタ値が増大しており、正極電圧が画素に印加される持続時間を表す。このようにして、画素及びディスプレイパネル全体に蓄積した反転不均衡が徐々に低減されると同時に、画像フレームを表示するのに使用されるリフレッシュレートの知覚性も低減し得る。
【００９６】
上述のとおり、いくつかの実施形態においては、電子ディスプレイ１２における反転不均衡の低減を促すために、判定されたリフレッシュレートが所望の通常リフレッシュレートから逸脱してもよい。例示目的で、１つ以上の画像フレームを表示するためのプロセス１０４を図１３に示す。概して、プロセス１０４は、所望のリフレッシュレートが通常のリフレッシュレートであると判定する（プロセスブロック１０６）ことと、次の画像フレームを表示するのに使用する極性が電子ディスプレイの極性化に等しいかどうかを判定する（判定ブロック１０８）ことと、次の画像フレームを表示するのに使用する極性が電子ディスプレイの極性化に等しい場合に次の画像フレームを短時間表示する（プロセスブロック１１０）ことと、次の画像フレームを表示するのに使用する極性が電子ディスプレイの極性化に等しくない場合に次の画像フレームを長時間表示する（プロセスブロック１１２）ことと、を含む。いくつかの実施形態において、プロセス１０４は、タイミングコントローラメモリ４４及び／又は別の好適な有形の非一時的コンピュータ可読媒体に記憶され、タイミングコントローラプロセッサ４２及び／又は別の好適な処理回路によって実行可能な命令を用いて実行されてもよい。
【００９７】
こうして、タイミングコントローラ３８は、所望のリフレッシュレートが通常のリフレッシュレート（例えば６０Ｈｚ）であるかどうかを判定し得る（プロセスブロック１０６）。いくつかの実施形態においては、通常のリフレッシュレート（例えば６０Ｈｚ）がメモリ４４に記憶され得る。そのため、タイミングコントローラ３８は、通常のリフレッシュレートを取得し、所望のリフレッシュレートと比較し得る。
【００９８】
より具体的には、所望のリフレッシュレートが通常のリフレッシュレートに等しい場合、タイミングコントローラ３８は次に、次の画像フレームを表示するのに使用する極性が電子ディスプレイ１２の極性化に等しいかどうかを判定し得る（判定ブロック１０８）。それらの極性が等しいとタイミングコントローラ３８が判定すると、タイミングコントローラ３８は、次の画像フレームを短時間表示するようディスプレイドライバ４０に命令し得る（プロセスブロック１１０）。より具体的には、いくつかの実施形態において、次の画像フレームは、６５Ｈｚ、９０Ｈｚ、１２０Ｈｚ、又はそれ以上などの高リフレッシュレートで表示され得る。その一方で、それらが等しくないとタイミングコントローラ３８が判定すると、タイミングコントローラ３８は、次の画像フレームを長時間表示するようにディスプレイドライバ４０に命令し得る（プロセスブロック１１２）。より具体的には、いくつかの実施形態において、次の画像フレームは、６０Ｈｚ、５５Ｈｚ、３０Ｈｚ、又はそれ以下などの低リフレッシュレートで表示され得る（プロセスブロック１１２）。このようにして、電子ディスプレイ１２の極性化とは反対の組の電圧極性を使用して長時間書き込まれた画像フレームを表示することにより、電子ディスプレイ１２の極性化が減少し得る。短いフレームと長いフレームのペアリングは、表示性能を高めるためにタイミングコントローラ３８によって判定され得る。
【００９９】
これらの技法を図示する目的で、単一画素に関する仮想表示動作１１４を図１４に示す。より具体的には、仮想表示動作１１４は、ｔ０からｔ８まで電子ディスプレイ１２に表示された画像フレームを表す。加えて、カウンタ値グラフ１１６は、仮想表示動作１１４に関するカウンタ値を表す。
【０１００】
図示された実施形態において、タイミングコントローラ３８は、ｔ０で所望の低減リフレッシュレートを有する第１の画像データを受信し得る。第１の画像データに基づいて、タイミングコントローラ３８は、第１の組の電圧極性を低減リフレッシュレートでディスプレイパネルに印加してｔ０からｔ１まで第１の画像フレームを表示するようディスプレイドライバ４０に命令し得る。より具体的には、第１の組の電圧極性は負極電圧を画素に印加し得る。こうして、図示のとおり、ｔ０からｔ１までの間でカウンタ値が減少しており、負極電圧が画素に印加される持続時間（例えば、第１の組の電圧極性がディスプレイパネルに印加される持続時間）を表す。
【０１０１】
ｔ１で、タイミングコントローラ３８は、所望の通常リフレッシュレート（例えば６０Ｈｚ）を有する第２の画像データを受信し得る。加えて、タイミングコントローラ３８は、第２の組の電圧極性を（例えば、正極を画素に）印加することによって第２の画像フレームが表示され得ると判定し得る。したがって、第２の組の電圧極性は画素の極性化とは反対であることから、タイミングコントローラ３８は、第２の画像フレームがｔ１からｔ２まで低リフレッシュレート（例えば５５Ｈｚ）で表示され得ると判定し得る。こうして、図示のとおり、ｔ１からｔ２までの間でカウンタ値が増大しており、正極電圧が画素に印加される持続時間（例えば、第２の組の電圧極性がディスプレイパネルに印加される持続時間）を表す。
【０１０２】
ｔ２で、タイミングコントローラ３８は、所望の通常リフレッシュレート（例えば６０Ｈｚ）を有する第３の画像データを受信し得る。加えて、タイミングコントローラ３８は、第１の組の電圧極性（例えば負極を画素に）印加することによって第３の画像フレームが表示され得ると判定し得る。したがって、第１の組の電圧極性は画素の極性化と同じ極性であることから、タイミングコントローラ３８は、第３の画像フレームがｔ２からｔ３まで高リフレッシュレート（例えば６５Ｈｚ）で表示され得ると判定し得る。こうして、図示のとおり、ｔ２からｔ３までの間でカウンタ値が減少しており、負極電圧が画素に印加される持続時間（例えば、第１の組の電圧極性がディスプレイパネルに印加される持続時間）を表す。
【０１０３】
ｔ３で、タイミングコントローラ３８は、所望の通常リフレッシュレート（例えば６０Ｈｚ）を有する第４の画像データを受信し得る。加えて、タイミングコントローラ３８は、第２の組の電圧極性（例えば正極を画素に）印加することによって第４の画像フレームが表示され得ると判定し得る。したがって、第２の組の電圧極性は画素の極性化とは反対であることから、タイミングコントローラ３８は、第４の画像フレームがｔ３からｔ４まで低リフレッシュレート（例えば５５Ｈｚ）で表示され得ると判定し得る。こうして、図示のとおり、ｔ３からｔ４までの間でカウンタ値が増大しており、正極電圧が画素に印加される持続時間（例えば、第２の組の電圧極性がディスプレイパネルに印加される持続時間）を表す。
【０１０４】
ｔ４で、タイミングコントローラ３８は、所望の通常リフレッシュレート（例えば６０Ｈｚ）を有する第５の画像データを受信し得る。加えて、タイミングコントローラ３８は、第１の組の電圧極性を（例えば、負極を画素に）印加することによって第５の画像フレームが表示され得ると判定し得る。したがって、第１の組の電圧極性は画素の極性化と同じ極性であることから、タイミングコントローラ３８は、第３の画像フレームがｔ４からｔ５まで高リフレッシュレート（例えば６５Ｈｚ）で表示され得ると判定し得る。こうして、図示のとおり、ｔ４からｔ５までの間でカウンタ値が減少しており、負極電圧が画素に印加される持続時間（例えば、第１の組の電圧極性がディスプレイパネルに印加される持続時間）を表す。
【０１０５】
図示のとおり、画像フレームは、第２の組の電圧極性を使用した低リフレッシュレート（５５Ｈｚ）での画像フレームの表示と、第１の組の電圧極性を使用した高リフレッシュレート（例えば６０Ｈｚ）での画像フレームの表示とを、画素の極性化がｔ６で略ゼロになるまで交互に切り替えることによって表示され得る。その後、これらの画像フレームは、所望の通常リフレッシュレートで表示され得る。例えば、図示された実施形態においては、ｔ６で、タイミングコントローラ３８が、第１の組の電圧極性を印加することによって画像フレームを所望の通常リフレッシュレート（例えば６０Ｈｚ）で表示するようディスプレイドライバ４０に命令し、ｔ７で、第２の組の電圧極性を印加することによって画像フレームを所望の通常フレッシュレートで表示するようディスプレイドライバ４０に命令し得る。このようにして、画素及びディスプレイパネル全体の反転不均衡が徐々に低減され得る。
【０１０６】
言い換えると、ディスプレイパネルの極性化とは反対の組の電圧極性を使用して書き込まれた画像フレームの表示時間を増大することにより、及び／又はディスプレイパネルの極性化と同じ組の電圧極性を使用して書き込まれた画像フレームの表示時間を減少することにより、反転不均衡が徐々に低減され得る。更なる例示目的で、図１５に示す仮想表示動作１１４で使用されるものと同じ画像データに基づいた単一画素に関する仮想表示動作１１８を図１５に示す。より具体的には、仮想表示動作１１８は、ｔ０からｔ６’まで電子ディスプレイ１２に表示された画像フレームを表す。加えて、カウンタ値グラフ１２０は、仮想表示動作１１８に関するカウンタ値を表す。
【０１０７】
仮想動作１１４と同様、ｔ０からｔ１までは、タイミングコントローラ３８が、第１の組の電圧極性を低減リフレッシュレートでディスプレイパネルに印加して第１の画像フレームを表示するようディスプレイドライバ４０に命令し得る。ｔ１で、タイミングコントローラ３８は、所望の通常リフレッシュレート（例えば６０Ｈｚ）を有する第２の画像データを受信し得る。加えて、タイミングコントローラ３８は、第２の組の電圧極性を（例えば、正極を画素に）印加することによって第２の画像フレームが表示され得ると判定し得る。第２の組の電圧極性は画素の極性化とは反対であることから、タイミングコントローラ３８は、第２の画像フレームがｔ１からｔ２’まで所望の通常リフレッシュレート（例えば６０Ｈｚ）で表示され得ると判定し得る。こうして、図示のとおり、ｔ１からｔ２’までの間でカウンタ値が増大しており、正極電圧が画素に印加される持続時間（例えば、第２の組の電圧極性がディスプレイパネルに印加される持続時間）を表す。
【０１０８】
図示のとおり、画像フレームは、第２の組の電圧極性を使用した所望の通常リフレッシュレート（例えば６０Ｈｚ）での画像フレームの表示と、第１の組の電圧極性を使用した高リフレッシュレート（例えば１２０Ｈｚ）での画像フレームの表示とを、画素の極性化がｔ４’で略ゼロになるまで交互に切り替えることによって表示され得る。その後、これらの画像フレームは、所望の通常リフレッシュレートで表示され得る。例えば、図示された実施形態においては、ｔ４’で、タイミングコントローラ３８が、第１の組の電圧極性を印加することによって画像フレームを所望の通常リフレッシュレート（例えば６０Ｈｚ）で表示するようディスプレイドライバ４０に命令し、ｔ５’で、第２の組の電圧極性を印加することによって画像フレームを所望の通常リフレッシュレートで表示するようディスプレイドライバ４０に命令し得る。この方法で、画素及びディスプレイパネル全体の反転不均衡が徐々に低減され得る。
【０１０９】
他の実施形態においては、第２の組の電圧極性を使用した低リフレッシュレート（例えば３０Ｈｚ又は４５Ｈｚ）での画像フレームの表示と、第１の組の電圧極性を使用した所望の通常リフレッシュレート（例えば６０Ｈｚ）での画像フレームの表示とを、画素の極性化が略ゼロになるまで交互に切り替えることにより、反転不均衡が徐々に低減され得る。
【０１１０】
したがって、本開示の技術効果は、電子ディスプレイによる画像表示精度を、特に電子ディスプレイが可変的なリフレッシュレートを使用する時に高めることを含む。より具体的には、電子ディスプレイの画素内に蓄積した反転不均衡が制限されることで、知覚可能な視覚アーチファクトをもたらす地点まで画素を極性化する蓋然性を低減し得る。例えば、いくつかの実施形態においては、低減リフレッシュレートで表示された画像フレームが、画素の極性化とは反対の組の電圧極性を使用して画素に書き込まれ得る。加えて、いくつかの実施形態においては、偶数の画像フレームが段階的に低減した中間リフレッシュレートで表示され得る。更に、いくつかの実施形態においては、蓄積した反転不均衡を徐々に低減するために、画像フレームが、所望の通常リフレッシュレートとは異なるリフレッシュレートで表示され得る。このようにして、蓄積した反転不均衡が制限され、徐々に低減され得る。
【０１１１】
上述の具体的な実施形態は、例として示されたものであり、これらの実施形態は、様々な修正形態及び代替形態を受けやすいものであり得ることを理解するべきである。更に、特許請求の範囲が、開示された特定の形態に限定されず、むしろこの開示の趣旨と意図の範囲にある全ての修正物、均等物、及び代替物を対象として含むことを理解されたい。
【図１】
0006523467.tif 000002
【図２】
0006523467.tif 000003
【図３】
0006523467.tif 000004
【図４】
0006523467.tif 000005
【図５】
0006523467.tif 000006
【図６】
0006523467.tif 000007
【図７】
0006523467.tif 000008
【図８】
0006523467.tif 000009
【図９】
0006523467.tif 000010
【図１０】
0006523467.tif 000011
【図１１】
0006523467.tif 000012
【図１２】
0006523467.tif 000013
【図１３】
0006523467.tif 000014
【図１４】
0006523467.tif 000015
【図１５】
0006523467.tif 000016